(57)【要約】      （修正有）【課題】圧接コネクタの作業性を向上する。【解決手段】圧接端子２０Ａ（２０Ｂ）を上向きに設けたハウジング１と、ハウジングに対し回動自在に設けられると共に一端に設けた電線挿入孔１３Ａ（１３Ｂ）から内部に電線Ｌを挿入することにより電線を保持する電線保持部材１０からなり、ハウジングに対する電線保持部材の押し下げにより電線保持部材に保持された被覆電線を圧接端子のＵ字状スロットに圧入して導通を図る圧接端子において、回動途中においてハウジングに対して電線保持部材を仮固定する手段５Ａ、５Ｂを設ける。【選択図】図２
0003119725.tif 000002
【実用新案登録請求の範囲】
【請求項１】
圧接端子を上向きに設けたハウジングと、ハウジングに対し回動自在に設けられると共に一端に設けた電線挿入孔から内部に電線を挿入することにより電線を保持する電線保持部材からなり、ハウジングに対する電線保持部材の押し下げにより電線保持部材に保持された被覆電線を圧接端子のＵ字状スロットに圧入して導通を図る圧接端子において、回動途中においてハウジングに対して電線保持部材を仮固定する手段を設けたことを特徴とする圧接コネクタ。
【請求項２】
電線保持部材の幅方向両端に突設した軸ピンをハウジングの両側壁に設けた軸孔に挿入することにより両者の枢支手段とすると共に、電線保持部材の幅方向両端に突設したノッチ爪を回動に伴いハウジングの両側壁の上端に設けた一又複数のノッチに順次弾性的に係止させることによりハウジングに対して電線保持部材を仮固定する手段とした請求項１記載の圧接コネクタ。
【請求項３】
電線の挿入具合を視認できるように電線保持部材を透明素材により構成した請求項１又は２記載の圧接コネクタ。
【考案の詳細な説明】
【技術分野】
【０００１】
この考案は、電話もしくは各種の通信機器などの端末機器を対象とした宅内配線に使用するための圧接コネクタに関し、より詳細にはＵ字状スロットを有する圧接端子によりワンタッチで電線との導通を実現する圧接コネクタに関する。
【背景技術】
【０００２】
被覆した電線を圧接端子のＵ字状スロットに圧入することにより、スロットにより電線の被覆部分を切り込んで導通を図る圧接コネクタが公知である。又、圧接端子を上向きに設けたハウジングと、ハウジングに対し回動自在に設けられる電線保持部材からなり、ハウジングに対する電線保持部材の押し下げにより電線保持部材に保持された各電線を各圧接端子のＵ字状スロットに圧入する圧接コネクタも公知である（特許文献１）。        
【特許文献１】実公平７−１９０８９号公報
【特許文献２】特開平４−４８５６９号公報
【特許文献３】特開第３２５９１３０号公報
【考案の開示】
【考案が解決しようとする課題】
【０００３】
後者の圧接コネクタは電線保持部材の押し下げによりワンタッチで接続できるので使い勝手が良いが、電線の挿入においては片手で電線保持部材を所要角度に固定し、残った手で電線を挿入しなくてはならないので作業性が悪く、圧接コネクタの取り付け方向によっては手を差し入れることが難しい場合もあり、この問題が顕在化した。
【課題を解決するための手段】
【０００４】
この考案は以上の従来技術の問題点を解消する圧接端子を提供することを目的として創作されたものであり、圧接端子を上向きに設けたハウジングと、ハウジングに対し回動自在に設けられると共に一端に設けた電線挿入孔から内部に電線を挿入することにより電線を保持する電線保持部材からなり、ハウジングに対する電線保持部材の押し下げにより電線保持部材に保持された被覆電線を圧接端子のＵ字状スロットに圧入して導通を図る圧接端子において、回動途中においてハウジングに対して電線保持部材を仮固定する手段を設けたことを特徴とする。
【考案の効果】
【０００５】
よって、この考案によれば電線保持部材は所定の角度で仮固定されるので、電線の挿入を片手で行なうことができ、圧接コネクタの取り付け方向によって接続作業が阻害されることが防止される。又、端子数が多い場合でも電線保持部材は所定の角度で仮固定されているので電線を順次挿入する作業を容易に行なうことができる。
【考案を実施するための最良の形態】
【０００６】
以下、この考案の具体的実施例を添付図面に基づいて説明する。図１乃至図１９はこの考案の圧接コネクタの実施例を示す図である。この考案の圧接コネクタは圧接端子２０Ａ（２０Ｂ）を上向きに設けたハウジング１と、ハウジングに対し回動自在に設けられる電線保持部材１０からなり、ここでは２端子を備えるコネクタを例示している。
【０００７】
電線保持部材１０は幅方向両端に突設した軸ピン１１、１１をハウジング１の両側壁２、２に設けた軸孔３、３に挿入することにより、ハウジングとの枢支手段としている。又、電線保持部材１０の前端に垂設される前面板１２の下方に設けた掛止穴１６を、押し下げ完了時にハウジング１の前端に突設した掛止突起４に弾性掛止させることにより両者の回動固定手段としている。
【０００８】
電線保持部材１０は前面板１２から後端にかけて電線挿入孔１３Ａ（１３Ｂ）を貫通させることにより被覆した電線Ｌの保持手段としており、上記電線挿入孔の中途箇所に電線保持部材の下端に開口する切り欠き溝部１４Ａ（１４Ｂ）を介在させることにより圧接端子２０Ａ（２０Ｂ）の進入箇所としている（特に図５乃至図８参照）。又、上記切り欠き溝部１４Ａ（１４Ｂ）の底部にして挿入された電線Ｌが位置する箇所には、電線に接する高さ及び圧接端子２０Ａ（２０Ｂ）のＵ字状スロット２１Ａ（２１Ｂ）に挿通可能な幅を有するリブ１７Ａ（１７Ｂ）を突設して電線を当接させることにより、圧入時に電線が上方向に湾曲することを防止している（特に図６乃至図８参照）。
【０００９】
ハウジング１に立設される圧接端子２０Ａ（２０Ｂ）は、金属板の上端に電線Ｌの圧入後、更にそれが下降する程度の深さを有するＵ字状スロット２１Ａ（２１Ｂ）を設けた構成よりなる。ここではＵ字状スロット２１Ａ、２１Ｂの両側面と開口部を鋭利な接触刃に形成することにより、圧入時の電線Ｌの被覆部分の切り込みに要する抵抗を軽減し、圧入によるＵ字状スロットの変形を抑えている。これにより、例えば大径の電線を挿入した後に小径の電線を挿入しても、Ｕ字状スロットが広がり変形していないので接続に支障を来さず、異なる芯線径に対応可能な圧接コネクタが実現される。
【００１０】
そして、ここでは、回動に伴い電線保持部材１０の幅方向両端に突設したノッチ爪１５、１５を、ハウジング１の両側壁２、２の上端に設けた複数のノッチ５Ａ、５Ｂに順次弾性的に係止させることによりハウジングに対して電線保持部材を所定の角度（ここでは９０°と４５°）で仮固定するようにしており（図１１乃至図１３参照）、これがこの考案の特徴部分となる。尚、仮固定手段はこれに限らず、他の手段を採用してもよいことは勿論である。
【００１１】
又、この実施例では、電線Ｌの挿入具合を視認できるように電線保持部材１０を透明素材により構成している。この考案の圧接コネクタにおいては前記したように電線の挿入において電線保持部材を片手で支える必要が無い。よって、電線保持部材を遮るものはなく、電線保持部材を透明化すれば電線の挿入具合を容易に視認することができる。又、作業環境が薄暗い場合には開いた方で懐中電灯を用いて上記挿入具合を視認することも可能となる。
【００１２】
以上の実施例においては、図に示すように各圧接端子２０Ａ（２０Ｂ）の前後位置及びそれに対応する切り欠き溝部１４Ａ（１４Ｂ）を電線保持部材１０の回動の支点である軸ピン１１、１１に対しずらすことにより、各圧接端子と各電線との組ごとの圧入タイミングを電線保持部材の押し下げ角度に同期してずらしている。図１４乃至図１９はその詳細を示す図である。ここでは、圧接端子２０Ａ及びそれに対応する切り欠き溝部１４Ａを、同じく圧接端子２０Ｂ及び切り欠き溝部１４Ｂに対して回動の支点より遠い位置にずらしている。その結果、電線保持部材１０の押し下げに伴い、先ず支点に近い側の圧接端子２０Ｂと電線Ｌの組が圧入ポイントに差しかかり、その後支点から遠い側の圧接端子２０Ａと電線Ｌの組が圧入ポイントに差しかかることになる。この場合、前記したように電線保持部材の押し下げに要する力は電線の被覆部分が切り込まれ電線がスロット内に完全に挟まる圧入ポイントにおいて最大となり、その後の押し下げに際しては緩和されるので、支点から遠い側の圧接端子２０Ａと電線Ｌの組が圧入ポイントに差しかかる時点では、支点に近い側の圧接端子２０Ｂと電線Ｌの組は既に圧入ポイントを通過しているので、押し下げに要する力が一時に加重されることなく、少ない押し下げ力で圧接が実現される。
【図面の簡単な説明】
【００１３】
【図１】この考案の圧接コネクタの分解斜視図。
【図２】同上、電線保持部材を９０°回動させた状態の斜視図。
【図３】同上、電線保持部材を４５°回動させた状態の斜視図。
【図４】同上、電線保持部材を閉じた状態の斜視図。
【図５】同上、電線保持部材の斜視図。
【図６】同上、電線保持部材を裏面から観察した状態の斜視図。
【図７】同上、断面図。
【図８】同上、圧接箇所付近の断面図。
【図９】同上、圧接端子の要部の正面図。
【図１０】同上、圧接端子の平面図。
【図１１】同上、電線保持部材を９０°回動させた状態の側面図。
【図１２】同上、電線保持部材を４５°回動させた状態の側面図。
【図１３】同上、電線保持部材を閉じた状態の側面図。
【図１４】同上、ハウジングの平面図。
【図１５】同上、ハウジングの正面図。
【図１６】同上、使用状態の断面図。
【図１７】同上、使用状態の断面図。
【図１８】同上、使用状態の断面図。
【図１９】同上、使用状態の断面図。
【符号の説明】
【００１４】
Ｌ      電線
１      ハウジング
５Ａ    ノッチ
５Ｂ    ノッチ
１０    電線保持部材
１３Ａ  電線挿入孔
１３Ｂ  電線挿入孔
１５    ノッチ爪
２０Ａ  圧接端子
２０Ｂ  圧接端子
【図１】
0003119725.tif 000003
【図２】
0003119725.tif 000004
【図３】
0003119725.tif 000005
【図４】
0003119725.tif 000006
【図５】
0003119725.tif 000007
【図６】
0003119725.tif 000008
【図７】
0003119725.tif 000009
【図８】
0003119725.tif 000010
【図９】
0003119725.tif 000011
【図１０】
0003119725.tif 000012
【図１１】
0003119725.tif 000013
【図１２】
0003119725.tif 000014
【図１３】
0003119725.tif 000015
【図１４】
0003119725.tif 000016
【図１５】
0003119725.tif 000017
【図１６】
0003119725.tif 000018
【図１７】
0003119725.tif 000019
【図１８】
0003119725.tif 000020
【図１９】
0003119725.tif 000021